(57)【特許請求の範囲】
【請求項１】
ハウジング内にデファレンシャルギヤのピニオン軸を支持する少なくとも一対のころがり軸受を所定間隔離して対向配置し、各ころがり軸受の内輪の軸方向内側端面間に塑性スペーサを組み込むとともに一方の内輪の軸方向外側端面に、内周面が前記ピニオン軸の外周面と接触するフランジの端面を環状に面接触させた状態で、前記ピニオン軸にねじ込んだナットで前記フランジを介して前記一方の内輪を押圧して各ころがり軸受に予圧を負荷し、前記ナットとこのナットで押圧される前記フランジとの間に、前記ころがり軸受が摩耗した場合に当該フランジと前記一方の内輪を移動させて設定予圧を確保する弾性体を設けたことを特徴とする軸受装置の予圧抜け防止構造。
【発明の詳細な説明】
【０００１】
【発明の属する技術分野】
本発明は、軸受装置の予圧抜け防止構造に関するものである。
【０００２】
【従来の技術】
図２は、従来のデファレンシャルギヤの軸受装置を示す要部断面図である。
デファレンシャルギヤのハウジング１３内には、一対の円すいころ軸受１４，１５が所定間隔離して対向配置されており、各々の円すいころ軸受１４，１５により、先端にハイポイドギヤ２１を取付けたピニオン軸２２を支持している。また、各円すいころ軸受１４，１５は、内輪１４ａ，１５ａの小鍔側端面同士を対向させた状態で配置されている。
ピニオン軸２２の先端側の円すいころ軸受１４は、その内輪１４ａの大鍔側端面がハイポイドギヤ２１と接しており、後端側の円すいころ軸受１５は、その内輪１５ａの大鍔側端面がフランジ１８の張り出し部１８ａと接しており、さらにフランジ１８の外側面側は、ピニオン軸２２にねじ込まれたナット１９と接している。
そして、一方の円すいころ軸受１４と他方の円すいころ軸受１５との間には、ナット１９のゆるみと内輪１４ａ，１５ａのクリープとを防いでピニオン軸２２の支持剛性を確保するために、筒状の塑性スペーサ１６が軸方向に塑性変形された状態で組み込まれている。
【０００３】
【発明が解決しようとする課題】
上記の従来の軸受装置では、ナット１９を締付け、フランジ１８を介して一方の内輪１５ａを押圧することにより、各円すいころ軸受１４，１５に予圧を負荷している。従ってナット１９には塑性スペーサ１６のスプリングバック力と円すいころ軸受１４，１５の設定予圧荷重とを加えた荷重が作用している。しかし、ハイポイドギヤ２１の摩耗粉が多量に発生して円すいころ軸受１４，１５の内部が摩耗しても、ナット１９を増し締めしない限りナット１９側からの内輪１５ａの移動が起こらず、円すいころ軸受１４，１５の予圧抜けが発生する。また、予圧によりナット１９及びフランジ１８が弾性変形し、その弾性反発力が塑性スペーサ１６のスプリングバック力より大きい場合には、ナット１９及びフランジ１８の弾性変形分だけ、内輪１５ａは移動することになるが、その移動量は非常に小さく、結果的に予圧抜けが発生する。このような予圧抜けが発生すると、円すいころ軸受１４，１５によるピニオン軸２２の支持剛性が低下してハイポイドギヤ２１と他のギヤ（図示せず）との間で噛み合い不良が発生し、異音が生じるという問題が発生していた。
【０００４】
本発明は係る事情に鑑みてなされたものであり、軸受が摩耗した場合においても予圧が低下するのを防止でき、軸受の支持剛性を確保できる軸受装置の予圧抜け防止構造を提供することを目的とする。
【０００５】
【課題を解決するための手段】
本発明は、ハウジング内にデファレンシャルギヤのピニオン軸を支持する少なくとも一対のころがり軸受を所定間隔離して対向配置し、各ころがり軸受の内輪の軸方向内側端面間に塑性スペーサを組み込むとともに一方の内輪の軸方向外側端面に、内周面が前記ピニオン軸の外周面と接触するフランジの端面を環状に面接触させた状態で、前記ピニオン軸にねじ込んだナットで前記フランジを介して前記一方の内輪を押圧して各ころがり軸受に予圧を負荷し、前記ナットとこのナットで押圧される前記フランジとの間に、前記ころがり軸受が摩耗した場合に当該フランジと前記一方の内輪を移動させて設定予圧を確保する弾性体を設けたことを特徴としている。
【０００６】
この構造においては、デファレンシャルギヤのピニオン軸を支持するころがり軸受が摩耗した場合においても、ころがり軸受の一方の内輪を弾性体の弾性力によって他方の内輪側へ押圧移動させて、予圧抜けを防止することができる。
【０００７】
【発明の実施の形態】
以下、本発明の実施の形態について、添付図面を参照しながら詳述する。
図１は本発明の一実施形態に係るデファレンシャルギヤの軸受装置の予圧抜け防止構造を示す要部断面図である。
デファレンシャルギヤのハウジング３内には、一対の円すいころ軸受４，５が所定間隔離して対向配置されており、各々の円すいころ軸受４，５によって、先端にハイポイドギヤ１１を取付けたピニオン軸１２を支持している。各円すいころ軸受４，５は、内輪４ａ，５ａ及び外輪４ｂ，５ｂが同心状に配置されており、内輪４ａ，５ａと外輪４ｂ，５ｂとの間には転動体としての円すいころ４ｃ，５ｃが介在している。なお、内輪４ａ，５ａは、その小鍔側端面同士が対向している。
ピニオン軸１２の先端側の円すいころ軸受４は、その内輪４ａの大鍔側端面がハイポイドギヤ１１と接しており、後端側の円すいころ軸受５はその内輪５ａの大鍔側端面がフランジ８の張り出し部８ａと接しており、さらにフランジ８の外側面側は、ピニオン軸１２にねじ込まれたナット９と接している。ハウジング３とフランジ８の張り出し部８ａとの間には弾性材料からなるシール７が取付けられており、異物が内部に進入するのを防いでいる。
そして、一方の円すいころ軸受４と他方の円すいころ軸受５との間には、内輪４ａ，５ａのクリープを防いでピニオン軸１２の支持剛性を確保するために、筒状の塑性スペーサ６が組み込まれている。この塑性スペーサ６はナット９の締付けにより軸方向に塑性変形されており、この状態で円すいころ軸受４に予圧が負荷されている。
【０００８】
フランジ８の外側面側とナット９との間には、弾性体としての皿バネ１０を弾性変形させた状態で介在させている。皿バネ１０は、ハイポイドギヤ１１の摩耗粉等で円すいころ軸受４，５の内部が摩耗した場合に円すいころ軸受４，５の予圧が抜けないように、塑性スペーサ６の変形荷重と円すいころ軸受４，５の設定予圧荷重との和を超えるバネ力を発揮できるものである。
【０００９】
本発明の実施形態は以上のように構成しているので、円すいころ軸受４，５の内部が摩耗した場合においても、摩耗に追随させて皿バネ１０のバネ力で一方の内輪５ａを移動させることが可能であり、予圧抜けを防止することができる。従って円すいころ軸受４，５の支持剛性を確保することができる。
【００１０】
なお、上記の実施形態においては、弾性体として皿バネを使用した場合につき説明しているが何らこれに限定されるものではなく、輪バネ等の他の弾性体を使用してもよい。
また、上記の実施形態においては、一対のころがり軸受４、５を対向配置しているが、複数対のころがり軸受を配置してもよい。
そして、ころがり軸受として円すいころ軸受を使用しているが、アンギュラ玉軸受等の他のころがり軸受を使用してもよい。
【００１１】
さらに、上記の実施形態においては、デファレンシャルギヤのピニオン軸を支持する軸受装置につき説明しているが何らこれに限定されるものではなく、他の軸受装置にも適用できることはいうまでもない。
【００１２】
【発明の効果】
以上のように構成された本発明は、以下の効果を奏する。
請求項１の軸受装置の予圧抜け防止構造によれば、ころがり軸受が摩耗した場合においても、ころがり軸受の一方の内輪を弾性体の弾性力により他方の内輪側に押圧移動させることができる。この為、予圧抜けを防止して軸受の支持剛性を確保することができる。
【００１３】
デファレンシャルギヤのピニオン軸を支持するころがり軸受が摩耗した場合においても予圧が低下するのを防止することができ、軸受の支持剛性を確保することができる。
【図面の簡単な説明】
【図１】本発明の一実施形態に係るデファレンシャルギヤの軸受装置の予圧抜け防止構造を示す要部断面図である。
【図２】従来のデファレンシャルギヤの軸受装置を示す要部断面図である。
【符号の説明】
３    ハウジング
４ａ  内輪
４ｂ  外輪
４ｃ  円すいころ
５ａ  内輪
５ｂ  外輪
５ｃ  円すいころ
６    塑性スペーサ
７    シール
８    フランジ
９    ナット
１０  皿バネ
１１  ハイポイドギヤ
１２  ピニオン軸
【図１】
0003895456.tif 000002
【図２】
0003895456.tif 000003